Podtech/llm-jp-corpus-v4-ja_patent huggingface dataset:
(57)【要約】【課題】他人から気づかれにくく、着るだけで、体型を美しく見せる衣類。【解決手段】体型を美しく見せる模様を、シャツやズボン、スカートなど、衣類の裏側にプリントする。その模様とは、体の凹凸や、服のシワや、重ね着などから生じる、影や光などである。衣類の裏側にプリントすることにより、表から見た場合、影や光、服のシワ、体の線など、本物に見える模様をつけることができる。影や光に似た模様によって、理想的な体の凹凸を作り出し、体型を美しく見せることができる。【選択図】図１
2013213303.tif 000002
【特許請求の範囲】
【請求項１】
体の凹凸や、服のシワ、重ね着などから生じる影や光の模様を、裏側にプリントした衣類。
【発明の詳細な説明】
【技術分野】
【０００１】本発明は、衣類に関するものである。
【背景技術】
【０００２】従来の体型を美しく見せるデザインの服は、胸や腰などの部分に色違いの布地を使用したり、衣類のパターンによるものである。また体型を美しくみせるための模様を衣類の表面にプリントしている。
【発明の概要】
【発明が解決しようとする課題】
【０００３】従来の体型を美しく見せる衣類は、外観から、その意図が他人に分かってしまう。本発明では、一見ではわからない方法で、体型を美しく見せる衣類を提供する。
【課題を解決するための手段】
【０００４】体型を美しく見せる影や光の模様を、衣類の裏側にプリントする。影や光の模様とは、骨格や筋肉などの体の凹凸や、服のシワ、服の重ね着などによって生じるものである。これらをシャツなどの衣類の裏側にプリントすることにより、表から見た場合、影や光、服のシワ、体の線など、本物に見える模様をつけることができる。
【発明の効果】
【０００５】本物の影や光に似た模様によって、理想的な体の凹凸を作り出し、体型を美しく見せることができる。
【図面の簡単な説明】
【０００６】
【図１】Ｔシャツに模様をプリントしている図。左図シャツの裏。右図シャツの表。
【図２】スカートに模様をプリントしている図。左図スカートの裏。右図スカートの表。
【発明を実施するための形態】
【０００７】具体的な実施例として、体型を美しく見せる衣類の形態を示す。なお、本発明は以下に述べた実地例に限定されるものではない。
【実施例】
【０００８】シャツやブラウス、ズボンなどの裏地に、影や光の模様をプリントすることにより、胸を大きく見せたり、また腰やお腹、足などを細く見せることができる。女性であれば理想的な曲線に近づけることができる。男性であれば、胸板や腹筋などの陰影により、たくましい体に見える。【０００９】腰やお尻、乳首の陰影など、これらの模様の位置を高めに調整することにより、バランスの良い体型に見せることができる。足を長く見せたり、胸やお尻のたるみを補正することができる。【００１０】衣類の裏地に、他の種類の衣類の陰影のプリントをつけることで、重ね着してるように見せることが可能である。【００１１】スカートのプリーツの裏側に、似たような模様をプリントすることにより、実際の数が少なくても、たくさんのヒダがついているように見せることができる。
【産業上の利用可能性】
【００１２】衣類の裏側からプリントをほどこすだけなので、新しい印刷技術などは不要である。安いコストで、付加価値の高い衣類の提供ができる。
【符号の説明】
【００１３】１  胸の谷間のシワの模様。
２  胸の上部の光が当たる部分。ハイライトの模様。明るい色のプリント。
３  シャツのわきの下のシワの模様。
４  胸の下の影の模様。
５  ウエストラインの影の模様。
６  お尻の光が当たる部分。ハイライトの模様。明るい色のプリント。
７  お尻の影の模様。
８  足のラインの模様。
【図１】
2013213303.tif 000003
【図２】
2013213303.tif 000004
(57)【要約】      （修正有）【課題】除雪、排雪の時に身長の高さに関係なく楽に除雪、排雪作業の行う事の出来るスノーダンプを提供する。【解決手段】スノーダンプの持ち手部分１を、上部で分割し、分割した部分のパイプ１を延長し、尚本体側のパイプ２の中へ挿入できるようにし、段階的に移動させる事で持ち手部分の長さを変える。【選択図】図２
2013213386.tif 000002
【特許請求の範囲】
【請求項１】
スノーダンプの持ち手部分を、上部で分割し、分割した部分のパイプを延長し尚、本体側のパイプの中へ挿入できるようにし段階的に移動させる事で持ち手部分の長さを変えられるようにした持ち手伸縮式スノーダンプ。
【発明の詳細な説明】
【技術分野】
【０００１】この発明は持ち手部分を伸縮させたスノーダンプに関するものである。
【背景技術】
【０００２】従来は、持ち手部分のサイズが固定されたスノーダンプがあった。
【特許文献】
【発明の開示】
【発明が解決しようとする課題】
【０００３】そのために、次のような問題点が生じていた。
（イ）身長の高い人などが排雪作業を行う場合持ち手部分が低いため腰を曲げた状態での作業のため腰を痛める人が多かった。
（ロ）川への排雪や屋根の上からの排雪など、淵の際まで近ずか無ければならず危険であった。
本発明は、これらの問題点を解決するためになされたものである。
【課題を解決するための手段】
【０００４】スノーダンプの持ち手部分を、上部で分割し、分割した部分のパイプを延長し尚、本体側のパイプの中へ挿入できるようにし段階的に移動させる事で持ち手部分の長さを変えられるようにした持ち手伸縮式スノーダンプである。
【発明の効果】
【０００５】本発明は、固定されていたスノーダンプの持ち手部分の長さを伸縮させることで、身長の高さや使用状況に合わせて長さを調節出来るため腰痛の防御危険の回避が出来る。
【発明を実施するための最良の形態】
【０００６】以下、本発明の実施の形態を説明する。
（イ）スノーダンプ本体に固定されている持ち手部分を（１）と（２）に分割し、パイプ下部を（２）の内径に挿入出来る太さで延長し、穴（５）を設ける。
（ロ）本体固定パイプ（２）は補強パイプ（７）と穴（８）を設ける。
（ハ）ピン（３）とＯリング（４）を設ける。
本発明は、以上の構成で、使用する場合は、本体固定パイプ（２）に上部パイプ（１）を挿入し、本体側穴（８）と上部側穴（５）を合わせ、ピン（３）を挿入し反対側をＯリング（４）で固定する、上部側穴（５）の本体側穴（８）に合わせる位置により長さを変えて使用することが出来る。
【図面の簡単な説明】
【０００７】
【図１】本発明前の分割図
【図２】本発明の分解斜視図
【図３】本発明の結合部拡大図
【符号の説明】
【０００８】１  上部、持ち手部分パイプ
２  本体側固定パイプ
３  パイプ固定用ピン
４  ピン固定用Ｏリング
５  上部持ち手部分、移動用ピン挿入穴
６  本体ダンプ部分
７  本体固定パイプ用補強パイプ
８  本体側パイプ、ピン挿入用穴
【図１】
2013213386.tif 000003
【図２】
2013213386.tif 000004
【図３】
2013213386.tif 000005
(57)【要約】【課題】従来の建築物には比強度の小さいコンクリートが使われているから、重くてもろいので、地震時、慣性力が大きく、自ら倒壊する可能性が大きい。また、従来の建築物には杭基礎が無いから、地震時、自らの慣性力で倒壊する可能性は大きい。【解決手段】第１に、この建築物の柱、梁、床、壁、基礎杭の材料には比強度の小さい重くてもろいコンクリートは一切使わず、第２に、柱と梁には比強度の大きい角形鋼管を用い、経済性から同一断面とし、第３に、床版とせん断壁には比強度の大きなＳＷスラブを用い、運搬の便を考え、その寸法は３４００ｍｍとし、第４に、建築物の下に硬質地盤まで十分に打ち込んだ鋼管杭基礎を設け、大地震の慣性力に十分耐えうる設計とし、第５に、この建築物に使うすべての部材は工場において品質良くプレハブ式に製作され、トラックにより現場に運搬され、互いに現場溶接により短時間に連結されるので、経費は安い。【選択図】図１
2013213387.tif 000002
【特許請求の範囲】
【請求項１】
この建築物の水平床版と鉛直せん断壁には、比強度の大きなＳＷスラブを用い、この建築物の下に硬質地盤まで打ち込んだ鋼管杭基礎を設け、この鋼管基礎杭と建築物の鉛直鋼管柱とを現場溶接により剛結して、大地震時の慣性力に十分耐えうる設計とした。
【発明の詳細な説明】
【技術分野】
【０００１】  本発明は、建築工学における耐震設計に関する新技術である。
【背景技術】
【０００２】  材料の強さには、表１にみられるように、「比強度」という概念があり、「比強度」とは強度（ｋｇ／ｃｍ２）を比重で割った値で、この値が大きいのは「軽くて強い材料」であり、この値が小さいのは「重くてもろい材料」である。
【表１】
2013213387.tif 000003
【０００３】  重くてもろいコンクリートでスラブ（厚い板）を作る場合には、コンクリートのスラブの中に大量の鉄筋を埋め込んで補強しなければならない。そこで、軽くて強い木材のスラブの上面と下面の両面に鋼板を接着剤で接着して補強すれば、鉄筋で補強したコンクリートスラブよりも軽くて強い優れたスラブを作ることができる。このスラブをＳＷスラブといい、Ｓｔｅｅｌ  ｓｔｉｆｆｅｎｅｄ  Ｗｏｏｄｅｎ  Ｓｌａｂであり、木材のスラブの両面を鋼板で補強したハイブリッド  スラブ（複合構造スラブ）であり、軽くて強い。
【発明の概要】
【発明が解決しようとする課題】
【０００４】  従来の建築物には、比強度の小さいコンクリートが使われているから、重くてもろいので、地震時、慣性力が大きく、自ら倒壊する可能性は大きい。【０００５】  従来の建築物には、杭基礎が無く、単に地面の上に置いてあるだけなので、地震時、自らの慣性力で倒壊する可能性は大きい。
【問題を解決するための手段】
【０００６】  第１に、この建築物の柱、梁、床、壁、基礎杭の材料には比強度の小さいコンクリートは一切使わなかった。
【０００７】  第２に、建築物の鉛直柱や水平梁に、比強度の大きい中空の角形鋼管を用い、同一寸法にして経済性を図った。
【０００８】  第３に、水平床版や鉛直せん断壁に、比強度の大きいＳＷスラブを用い、工場から現場へのトラックによる運搬の便を考え、ＳＷスラブの幅の寸法は３４００ｍｍとした。
【０００９】  第４に、建築物の下に鉛直鋼管基礎杭を設け、それと建築物の鉛直鋼管柱とを、現場突合溶接で剛結し、大地震時の水平慣性力に十分耐えるように基礎杭を設計した。
【００１０】  第５に、鉛直柱、水平梁、水平ＳＷ床版、鉛直ＳＷせん断壁、鉛直基礎杭を工場で品質良くプレハブ式に製作し、トラックで現場に運搬し、現場においては、互いに現場溶接で剛結することにしているので、現場施工の経費は安い。
【図面の簡単な説明】
【００１１】
【図１】全体の立面図
【図２】全体の平面図
【図３】鉛直基礎杭と鉛直柱との連結図
【図４】水平梁と水平ＳＷ床版との連結図
【図５】鉛直柱と鉛直ＳＷせん断壁との連結図
【発明を実施するための形態】
【００１２】  以下、本発明の実施の形態を図１〜図５に基づいて説明する。
【００１３】  図１においては、４鉛直基礎杭を２硬質地盤まで十分に打ち込み、大地震が来て１軟弱地盤が大津波によって流されても、４鉛直基礎杭は流されず、また、この４鉛直基礎杭に剛結されている建築物の５鉛直柱や６水平梁も大地震時崩壊することはない。
【００１４】  図２においては、６水平梁と８水平ＳＷ床版が、互いに１８現場突合溶接によって剛結されることが示されている。
【００１５】  図３においては、５鉛直柱に１５連結用底板と１６連結用鋼管が予め工場において結合されて製作され、現場においては、予め地盤に打ちこまれていた４鉛直基礎杭の頭部に、この１６連結用鋼管が上から落とし込まれ、１９現場隅肉溶接されることが示されている。
【００１６】  図４においては、１０木質スラブの両面に１１上鋼板と１２下鋼板が工場接着されて作られたた８水平ＳＷ床版が、建築物の６水平梁に１８現場突合溶接と１９現場隅肉溶接されることが示めされている。
【００１７】  図５においては、１０木質スラブの両面に１３外鋼板と１４内鋼板が１７工場接着されて作られた９鉛直ＳＷせん断壁が、建築物の５鉛直柱に１８現場突合溶接と１９現場隅肉溶接されることが示めされている。
【符号の説明】
【００１８】  １    軟弱地盤
２    硬質地盤
３    地表面
４    鉛直基礎杭
５    鉛直柱
６    水平梁
７    鉛直基礎杭と鉛直柱との連結部
８    水平ＳＷ床版
９    鉛直ＳＷせん断壁
１０  木質スラブ
１１  上鋼板
１２  下鋼板
１３  外鋼板
１４  内鋼板
１５  連結用底板
１６  連結用鋼管
１７  工場接着
１８  現場突合溶接
１９  現場隅肉溶接
【図１】
2013213387.tif 000004
【図２】
2013213387.tif 000005
【図３】
2013213387.tif 000006
【図４】
2013213387.tif 000007
【図５】
2013213387.tif 000008
(57)【要約】【課題】本発明の靴底補修具は、軽量で嵩張らないので携帯に便利であり、靴の形状や大小に広く対応して、簡単に確実に固定ができて靴の応急処置が可能である。剥げた靴底（外底）を脱落させることなく、靴の先端が開かないことで、つまずいたり物に引っかかることもなく、歩行の継続が可能となる、靴底補修具を提供する。【解決手段】靴底を保持する部材と、靴の前方を保護する部材、及び靴の側方に起立する部材から構成され、靴の前方を保護する部材と靴の側方に起立する部材の先端には靴底補修具を靴に固定する部材を繋ぐ箇所が設けられていることを特徴とする。【選択図】図2
2013017672.tif 000002
【特許請求の範囲】
【請求項１】
靴底を保持する部材と、靴の前方を保護する部材、及び靴の側方に起立する部材から構成され、靴の前方を保護する部材と靴の側方に起立する部材の先端には靴底補修具を靴に固定する部材を繋ぐ箇所が設けられていることを特徴とする、靴底補修具。
【発明の詳細な説明】
【技術分野】
【０００１】
本発明は、剥げた靴底（外底）を保持するための、靴底補修具に関するものである。
【背景技術】
【０００２】
合成樹脂製の靴で経年変化により素材が劣化して靴底（外底）が剥げてしまうものがある。歩行中に、靴底（外底）が剥げた場合の応急の補修は、粘着テープを巻き付ける、紐や針金を巻き付ける等のことで靴底（外底）を靴本体に締着している。また、従来の技術としてピン状のものに接着剤を塗布して靴の底面または内面から貫通させ剥離防止をおこなうもの、および、靴の上に履くオーバーシューズがある。
【先行技術文献】
【特許文献】
【０００３】
【特許文献１】特開２００４−２４３０８２号公報
【特許文献２】特開２００６−１０９９５３号公報
【発明の概要】
【発明が解決しようとする課題】
【０００４】
従来の補修方法では、粘着テープが剥がれてしまう、紐や針金が外れてしまうことにより、剥げた靴底（外底）の保持には十分な効果が得られていない。ピン状のものに接着剤を塗布して靴の底面または内面から貫通させるものは、貫通させる穴をあける手段と接着剤の硬化時間が必要になる。靴の上に履くオーバーシューズは、剥げた靴底を保持する機能をもっていない。また、上記のいずれの方法でも靴の先端で靴底が開くことの防止は困難である。従って、剥げた靴底（外底）を保持して、靴の先端で靴底が開かない機能を持つ、靴底補修具により前述の欠点を解決しようとするものである。
【課題を解決するための手段】
【０００５】
本発明の靴底補修具は、靴底を保持する部材と、靴の前方を保護する部材、及び靴の側方に起立する部材から構成され、靴の前方を保護する部材と靴の側方に起立する部材の先端には靴底補修具を靴に固定する部材を繋ぐ箇所が設けられていることを特徴とする。
このように構成することにより、剥げた靴底（外底）を脱落させることなく、靴の先端が開かないことで、つまずいたり物に引っかかることもなく、歩行の継続が可能になる。
【発明の効果】
【０００６】
上述のように、本発明の靴底補修具は、軽量で嵩張らないので携帯に便利であり、靴の形状や大小に広く対応して、簡単に確実に固定ができて靴の応急処理が可能である。剥げた靴底（外底）を脱落させることなく、靴の先端が開かないことで、つまずいたり物に引っかかることもなく、歩行の継続が可能になる。特に登山中に登山靴の靴底（外底）が剥げて歩行困難になる事故防止に効果があり、山小屋への到着まで、又は早急な下山まで、靴の使用を可能にさせることに役立つ。また、他の運動中や作業中など靴底が剥がれたときにも広く利用が可能であり、靴の応急処置によって運動や作業を継続して行うことや、歩行に靴を使用できる。
【図面の簡単な説明】
【０００７】
【図１】本発明の靴底補修具の平面図である。
【図２】靴底補修具を、靴に取り付けた状態の側面図である。
【発明を実施するための形態】
【０００８】
靴底補修具は、靴底を保持する部材に前方を保護する部材と側方に起立する部材を設けて、固定用の部材により、靴本体に靴底補修具を取り付ける。靴底を保持する部材は、靴の土踏まずより前の靴底（外底）に当たるようにし、その前側に付けられた靴の前方を保護する部材は、靴の底からつま先に掛けて靴底が開かないように機能する。固定用の部材で、前方を保護する部材と側方に起立する部材により、靴底補修具を靴本体に固定させ、剥げた靴底の脱落を防止する。
【実施例】
【０００９】
本発明に係る靴底補修具１０は、図１に示すように、靴底を保持する部材１と、靴の前方を保護する部材２、及び靴の側方に起立する部材３から構成されており、靴の前方を保護する部材２と靴の側方に起立する部材３の先端には靴底補修具１０を靴に固定する部材２０を繋ぐ箇所が設けられている。
【００１０】
靴底補修具１０は、図２に示すように、靴本体３０に取り付けて、剥げた靴底部５が、靴本体３０と、分離することを防止するために使用する。
【００１１】
靴底を保持する部材１は、図１に示すように、帯状で「土」の字型に示されているが、板状、格子状、網状、鎖状の形態で、布製、金属製、合成樹脂製の素材のものが使用できる。靴の前方に起立する部材２、及び靴の側方に起立する部材３は、靴底を保持する部材１から帯状で連続した形状で示されているが、靴底を保持する部材１に、鎖、円環等を取り付ける形態も使用できる。靴に固定するための部材２０は、紐状に示されているが、固定ベルト、及び、締め付け具付きのバンドも使用できる。
【００１２】
靴底を保持する部材１には、靴底及び地面との滑りを防止するため、凹凸を付けるなどで、摩擦を大きくすることが望ましい。
【産業上の利用可能性】
【００１３】
本発明の靴底補修具は、靴底が剥げたときに靴底を靴本体に締着して保持する補修具であり、靴底が剥げて歩行が困難な状態を応急的に改善させるものである。靴の素材の経年劣化により靴底が剥げてしまうことがよくあり、靴底補修具を携帯していると登山中やゴルフ中などで代わりの靴が身近にない状態のときに役立つ。携帯しやすくて靴の形状や大小に応じて汎用性がある靴底補修具は、使用範囲が広く便利で有用に活用できる。
【符号の説明】
【００１４】
１  靴底を保持する保持部材
２  靴の前方を保持する保護部材
３  靴の側方に起立する部材
４  固定用の部材を繋ぐ箇所
５  剥げた靴底（外底）
１０  靴底補修具
２０  固定用の部材
３０  靴本体
【図１】
2013017672.tif 000003
【図２】
2013017672.tif 000004
(57)【要約】【課題】従来より、お年寄りや病人など体の不自由な人向けの生活補助具としてまた介護用としてリフトやクレーンを利用した補助機械がある。しかしながら、上記のものは確かに高い所に格納できるため健常者である介護人にかかる負担は減り便利であるが、非介護人には高い所へ行けても何の利益もない、非介護人にとっては限定的である横の動きから解放されることこそが最大の利益といえる。【解決手段】病人又は老人、身体不自由人の寝て居る上より吊具を取り付ける吊具であって、吊り上げた姿勢が車椅子、腰掛け、トイレ、お風呂などにマッチした腰かけ状態で吊り上げる吊り具を発明した。【選択図】  図１
2013017662.tif 000002
【特許請求の範囲】
【請求項１】
被介護者の体の前方側に取り付ける介護リフト用吊り具であって、該介護リフト用吊り具は、被介護者の頭部固定部と胸腹固定部と腰部固定部と腿部固定部と、該胸腹固定部から被介護者の前方側に延長して設けられたフック部とを有し、該各固定部と被介護者とを各々バンドにて固定し、該フック部にて介護リフトと接続することを特徴とする介護リフト用吊り具。
【発明の詳細な説明】
【技術分野】
【０００１】
本発明は、要介護者を介護用リフトにて吊り上げて移動する際に用いられる介護リフト用吊り具に関するものである。
【背景技術】
【０００２】
従来よりお年寄りや病人など、体の不自由な人には生活補助としてまた介護用としてリ
フトやクレーンを利用した補助機械がある、例えば一般的日本家屋に設置するためにでき
るだけ高い所に格納できるように工夫されたもの(特開2004-089427)、またレールごと天
井に取り付けたもの(特開2001-212187)などがある。
【先行技術文献】
【特許文献】
【０００３】
【特許文献１】特開2004-089427号公報
【特許文献２】特開2001-212187号公報
【発明の概要】
【発明が解決しようとする課題】
【０００４】
しかしながら、上記のものは確かに高い所に格納できるため健常者である介護人にかかる負担は減り便利であるが、非介護人には高い所へ行けても何の利益もない、非介護人にとっては限定的である横の動きから解放されることこそが最大の利益といえる。病人又は老人、身体不自由人の寝て居る上より吊具を取り付ける吊具であって、吊り上げた姿勢が車椅子、腰掛け、トイレ、お風呂などにマッチした腰かけ状態で吊り上げる吊り具が望まれている。
【課題を解決するための手段】
【０００５】
老人または患者が寝たままの状態の上部より本吊具を取付バンドで固定し、車いすやトイレ等体をＮ字型に成るよう吊具を使用介護人の安全と重労働より開放し患者または老人も快適に行動できる。被介護者の体の前方側に取り付ける介護リフト用吊り具であって、該介護リフト用吊り具は、被介護者の頭部固定部と胸腹固定部と腿部固定部と、該胸腹固定部から被介護者の前方側に延長して設けられたフック部とを有し、該各固定部と被介護者とを各々バンドにて固定し、該フック部にて介護リフトと接続することを特徴とする介護リフト用吊り具である。
【発明の効果】
【０００６】
本発明は吊り具を被介護者の体の胸部等表側に取り付けることにより、被介護者を抱きかかえることなく、被介護者を移動させることができる吊り具である。
本発明の吊り具で被介護者をベッド等から吊り上げると、椅子に腰かけたままの姿勢で吊り上げることができるので、介護の３大目的であるトイレ、車椅子の乗り降り、風呂の出入りが簡単にできるようになり、介護人の負担が大幅に減じ、したがって腰痛にもなりにくい。
【図面の簡単な説明】
【０００７】
【図１】本発明の全体図と吊り上げ移動の図
【図２】ベッドより吊り具を装着して吊り上げる図
【図３】要介護者に吊り具とバンドを装着した図
【図４】吊り具の全体図
【図５】バンド引き取り器
【発明を実施するための形態】
【０００８】
本発明の実施の形態を図面を使いながら説明する。
図１はベッドより被介護者を吊り上げてポータブルトイレに移動させる図である。左側の車椅子及び風呂の場合も同様である。図２は被介護者に本発明の介護リフト用吊り具を装着し、順次吊り上げる行程を説明し、最後に腰掛けの姿勢になることを説明したものである。図３は被介護者に吊り具を各固定部でバンドを使って装着固定した図である。図４は本発明の介護リフト用吊り具の全体図である。図５はベッドと被介護者の背中との隙間に差し込んでバンドを引出して装着を楽にする道具である。
図４中、１は介護リフト用吊り具の本体であり、２は頭部固定部、３は胸腹固定部、４は腰部固定部、５は腿部固定部、６はフック部、７は座高調整部、８は頭部固定バンド、９と１０は胸腹固定バンド、１１は腰部固定バンド、１２は腿部固定バンドである。
本発明の介護リフト用吊り具の使用方法を説明する。ベッド等に横になっている被介護者の体前面側に介護リフト用吊り具１を配し、被介護者の頭部を頭部固定バンド８にて頭部固定部２に固定し、胸と腹を胸腹固定バンド９，１０にて胸腹固定部３に固定し、腰を腰部固定バンド１１にて腰部固定部４に固定し、腿を腿部固定バンド１２にて腿部固定部５に固定する。被介護者の体の大きさに応じて座高調整部７にて吊り具の長さを調整できる。また、ベッドと被介護者の隙間にバンドを通す際に、図５の道具を使うと効率的である。図５の１５部分にバンドを固定して、取っ手１４にて被介護者の体の下とベッドとの隙間にバンドを通すことができる。被介護者に吊り具を固定したら、次いで介護リフトにフック部６を接続する。
寝ている患者又は老人の上半身を吊り具によって起こす、安全を見てさらに上げるとＮ字型（腰掛けた状態）に吊り上がる。これをリフトで車いす、トイレ、風呂等の上部に移動し、徐々におろしながら安定しましたらバンドを外し作業行い終了しましたら以上の逆の工程で実行します。従来は介護人が非介護者を抱き上げて車椅子、トイレ、風呂に入れていたが、リフト・クレーンおよび本発明の吊り具を使用することにより大幅に能率が上がり介護人１人で３人前の仕事が可能となった特殊吊り具である。
【符号の説明】
【０００９】
１  介護リフト用吊り具
２  頭部固定部
３  胸腹固定部
４  腰部固定部
５  腿部固定部
６  フック部
７  座高調整部
８  頭部固定バンド
９、１０  胸腹固定バンド
１１  腰部固定バンド
１２  腿部固定バンド
【図１】
2013017662.tif 000003
【図２】
2013017662.tif 000004
【図３】
2013017662.tif 000005
【図４】
2013017662.tif 000006
【図５】
2013017662.tif 000007
(57)【要約】【課題】うちわは、手で扇ぐだけで簡単に風を起こすことが出来る便利な道具であるが、長時間使用すると手が疲れることが多い。また、両手を使って作業している場合には、うちわを使用することは難しい。【解決手段】上記の課題を解決する為、本発明では、足を使って操作を行うことにより風を起こす。本発明において、竹などの復元力のある素材で出来た竿の一端にうちわの柄の部分を取り付け、この竿の他端にスタンドを取り付けることにより、うちわの付いた竿を地面の上に立たせる。そして、竿の中間点よりもスタンド寄りの位置に足踏み用のペダルを取り付ける。このペダルを操作者が踏んで竿を揺らすと、うちわが重しとなり竿が大きくしなって、うちわが大きく揺れることにより風が起こる。【選択図】図１
2013017543.tif 000002
【特許請求の範囲】
【請求項１】
竹などの復元力のある素材で出来た棒状もしくは筒状の竿の一端にうちわの柄の部分を取り付け、竿の他端に地面や床などの平らな水平面の上に竿を置いて立たせる為のスタンドを取り付ける。そして、この竿の中間点よりもスタンド寄りの位置に足踏み用のペダルを取り付けることを特徴とする足踏み式のうちわ。
【請求項２】
請求項１の発明において、竹などの復元力のある素材で出来た棒状もしくは筒状の竿を、１本用いる換わりに２本以上用いることを特徴とする足踏み式のうちわ。
【発明の詳細な説明】
【技術分野】
【０００１】
人力により風を起こす技術。
【背景技術】
【０００２】
日本では、古くから夏にうちわを扇いで涼む習慣があるが、科学技術が発達した現在においても、エネルギー節約等の理由により、家庭や職場等でうちわが広く使用されている。
【０００３】
うちわは、手で扇ぐだけで簡単に風を起こすことが出来る便利な道具であり、その構造はシンプルで昔から殆ど変化していない。類似した既製品としては、扇子も昔から広く使用されている。その構造はうちわよりも若干複雑であるが、うちわよりも携帯が容易という特徴を持っている。
【先行技術文献】
【特許文献】
【０００４】
【特許文献１】特開２００４−４９８４３号公報
【特許文献２】特開２００３−２７５００７号公報
【発明の概要】
【発明が解決しようとする課題】
【０００５】
うちわは、手で扇ぐだけで簡単に風を起こすことが出来る便利な道具であるが、長時間使用すると手が疲れることが多い。また、両手を使って作業している場合には、うちわを使用することは難しい。
【課題を解決するための手段】
【０００６】
上記の課題を解決する為、本発明では、足を使って操作を行うことにより風を起こす。一般的に足の筋力は手の筋力よりも強く、長時間運動しても疲労度は少ないと考えられる。また、足を用いることにより、両手が塞がっている場合においても、風を起こす操作が可能になる。
【０００７】
本発明では、竹などの復元力のある素材で出来た竿の一端にうちわの柄の部分を取り付け、この竿の他端にスタンドを取り付けることにより、うちわの付いた竿を地面の上に立たせる。そして、竿の中間点よりもスタンド寄りの位置に足踏み用のペダルを取り付ける。このペダルを操作者が足で踏んで竿を揺らすことにより、竿に付いたうちわが揺れて風が起こる。
【発明の効果】
【０００８】
本発明は、一般的に手の筋力よりも強い足の筋力を利用して操作する為、長時間運動しても疲労度は少ないと考えられる。また、足を用いることにより、両手が塞がっている場合においても、操作が可能になる。
【図面の簡単な説明】
【０００９】
【図１】図１は本発明の実施方法を示した説明図である。（実施例１）
【発明を実施するための形態】
【００１０】
本発明では、竹などの復元力のある素材で出来た竿の一端にうちわの柄の部分を取り付け、この竿の他端にスタンドを取り付けることにより、うちわの付いた竿を地面の上に立たせる。そして、竿の中間点よりもスタンド寄りの位置に足踏み用のペダルを取り付ける。このペダルを操作者が踏んで竿を揺らすことにより、竿に付いたうちわが揺れて風が起こる。
【実施例１】
【００１１】
図１は、本発明の一実施例を示した図である。図中の符号１は、風を起こす為のうちわである。うちわ１は、一般に流通している既製品を使用することを想定しているので、うちわの構造に関する説明は省略する。符号２は、竹などの復元力のある素材で出来た竿である。符号３は、足踏み用のペダルである。符号４は、竿２を地面や床などの平らな水平面の上に置いて立たせる為の部品である。竿２の上端は、うちわ１の柄の部分に接続され、下端は、スタンド４に接続される。そして、竿２の中間点よりもスタンド４寄りの位置にペダル３が取り付けられる。
【００１２】
本実施例においては、操作者は椅子等に座って操作を行う。操作者は、椅子等に座った状態で、両足をペダル３の上へ置く。そして、ペダル３に置いた足を交互に踏み込むことにより、竿２を左右に揺らす。すると、竿２の上端に付いているうちわ１が重しとなり、竿２が左右に大きくしなることにより、うちわ１が大きく揺れて風が起こる。
【産業上の利用可能性】
【００１３】
本発明は、人力で動作する為、電源の無いアウトドア等の場所において使用することが出来る。本発明において、操作者は足を使って操作する為、両手が塞がっている様な場合や、長時間操作する必要がある場合には有効である。
【符号の説明】
【００１４】
１    うちわ
２    竿
３    ペダル
４    スタンド
【図１】
2013017543.tif 000003
(57)【要約】      （修正有）【課題】塗料を自動供給する塗装ユニットを実現する。【解決手段】塗装バケツ０７から塗装面０５側に突出する形で回転自由に取り付けたスポンジ製の塗装ローラ０１に、軽く接触するように塗装ローラ０１よりも下側にスポンジ製の転写ローラ０２を回転自由に取り付けた塗装バケツ０７の底から転写ローラ０２の半分程度まで塗料０３を入れ、塗装ローラ０１を壁に押付け上下に動かすことにより塗装ローラ０１が回転し、同時に転写ローラ０２も回転するため、転写ローラ０２から塗装ローラ０１に塗料０３が転写されることにより塗料０３が自動で供給される。【選択図】図１
2013017986.tif 000002
【特許請求の範囲】
【請求項１】
塗装バケツから塗装面側に突出する形で回転自由に取り付けたスポンジ製の塗装ローラに、軽く接触するように塗装ローラよりも下側にスポンジ製の転写ローラを回転自由に取り付けた塗装バケツの底から転写ローラの半分程度まで塗料を入れ、塗装ローラを壁に押付け上下に動かすことにより塗装ローラが回転し、同時に転写ローラも回転するため、転写ローラから塗装ローラに塗料が転写されることにより塗料が自動で供給される塗装ユニット
【発明の詳細な説明】
【技術分野】
【０００１】  本発明は、塗料の供給回数が減らせる塗装ユニットに関するものである。
【背景技術】
【０００２】  塗装には、スプレー、刷毛塗り、ローラ塗りがあるが、スプレーは飛散、刷毛塗りは、細部塗装に向くが、時間がかかり大規模塗装に向かない。ローラは塗りやすく大量塗装に向くが、ローラに塗料を含侵させるのが煩わしいく、効率的な塗装を妨げている。
【発明の開示】
【発明が解決しようとする課題】
【０００３】  ローラに塗料を供給する際に、塗料をつけすぎてこぼすことがある。頻繁に繰り返す必要があり、面倒。塗料のローラへの保有含有量が一定になりにくい。
ローラへの塗料供給頻度を下げ、塗装効率を上げたい。
【課題を解決するための手段】
【０００４】  ダブルローラ構成とし、塗料に浸かった転写ローラの塗料を塗装ローラに転写して塗装することにより、適度な塗料が連続して塗装ローラに供給される
【発明の効果】
【０００５】  壁に塗装ユニットを押しつけて、上下に動かし、塗装を行うと、自動的に塗料が供給され、バケツに蓄えられた塗料がなくなるまで、連続的に塗装ができ大幅な時間短縮となる。
また、スポンジの効果で壁の凹凸があってもきれいに塗装可能。
壁面から、ぶら下げて、少しの壁面方向の荷重をかけながら下ろしていくことで、塗装が可能。本装置の背面にローラをつけ、ローラにかかるよう錘をぶらさげるとか、地面にアンカーを置くことで可能。人がロープでぶら下がって作業する工法でも非常に有効。
【発明を実施するための最良の形態】
【０００６】  塗装バケツの下部に塗料を貯め、転写ローラの下が塗料に浸かるようにし、ダブルローラは上下に配置し、上下にうごかして塗装をおこなうことを基本とし、こぼれない範囲で傾けて使用する。手で、塗装する場合は、両側に取手があれば作業がしやすい。
【実施例１】
【０００７】  塗装バケツ０７から塗装面０５側に突出する形で回転自由にピン０４で取り付けたスポンジ製の塗装ローラ０１に、軽く接触するように塗装ローラ０１よりも下側にスポンジ製の転写ローラ０２を回転自由にピン０４で取り付けた塗装バケツ０７の底から転写ローラ０２の半分程度まで塗料０３を入れ、塗装ローラ０１を壁に押付け上下に動かすことにより塗装ローラ０１が回転し、同時に転写ローラ０２も回転するため、転写ローラ０２から塗装ローラ０１に塗料０３が転写されることにより塗料０３が自動で供給される塗装ユニット。塗装バケツ０７の底部には壁０５に干渉しないように車輪０９が付いている。
【産業上の利用可能性】
【０００８】塗装、清掃
【図面の簡単な説明】
【０００９】
【図１】塗料自動供給型ダブルローラ塗装ユニットの構成を示した説明図である。
【符号の説明】
【００１０】１  塗装ローラ
２  転写ローラ
３  塗料
４  ピン
５  塗装面
６  押さえ板
７  塗装バケツ
８  カラー
９  車輪
１０  塗装ユニット
１１  上下
【図１】
2013017986.tif 000003
(57)【要約】【課題】  電動車両に具備される空調装置は電力消費が大きく、蓄電池容量に限定された電気エネルギーのみで走行する電動車両において、当該装置は一充電走行距離等、性能面を脅かす要素となっているが、快適性確保のために必須の装置でもあり、技術上の要点のひとつである。【解決手段】  回生制動装置に付随して空調装置を具備し、回生制動装置の発生する電力で駆動することで、通常空気中に熱として放散せざるを得ない制動時の運動エネルギーを再利用することとなり、電気エネルギーの節約が可能になる。  なおかつ、所定の熱容量を有する冷媒等に一時的に蓄熱する構造とすることにより、空調装置の消費電力は、室温調整の強弱とは直接無関係となり、常に安定となり、当該回生制動装置の動作が安定する。  同時に、冷媒等に蓄熱された熱量は所定の時間差をもって供用可能であるため、制動時以外でも室温調整が可能である。【選択図】図１
2013017372.tif 000002
【特許請求の範囲】
【請求項１】
電動車両において、回生制動により発生した電力を空調装置で消費する制御方法およびその装置。
【請求項２】
請求項１に係る装置において、当該空調装置により冷媒等に一時的に蓄熱し、所定の時間差をもって供用することを可能とする空調方法およびその装置。
【発明の詳細な説明】
【技術分野】
【０００１】  本発明は、電動車両に具備される空調装置に関する。
【背景技術】
【０００２】  ハイブリッド自動車および電気自動車等の電動車両は近年、その低燃費性および環境性能を評価され、市場の一角を占める傾向にあり、技術的にも開発が盛んである。
特に、当該自動車類に具備される空調装置は電力消費が大きく、技術上の要点のひとつである。
【発明の概要】
【発明が解決しようとする課題】
【０００３】  従来の技術によれば、電動車両に具備される空調装置は、暖房は抵抗発熱、冷房は従来式カーエアコンの併用により構成され、駆動には大きな電力が必要である。
蓄電池容量に限定された電気エネルギーのみで走行する電動車両において、当該装置は一充電走行距離等、性能面を脅かす要素となっているが、快適性確保のために必須の装置でもある。
【課題を解決するための手段】
【０００４】  以上の課題を解決するため、本発明では制動時に運動エネルギーの一部を電力として再利用することを可能としている回生制動装置の出力する電力を、［請求項１］の如く、空調装置で消費し、なおかつ、当該回生制動装置の動作を安定せしめるべく、［請求項２］の如く、所定の熱容量を有する冷媒等に一時的に蓄熱し、所定の時間差をもって供用することを可能とする空調方法を採用する。
【発明の効果】
【０００５】  本発明によれば、電力消費の大きな空調装置を、回生制動装置の発生する電力で駆動することで、通常空気中に熱として放散せざるを得ない制動時の運動エネルギーを再利用することとなり、電気エネルギーの節約が可能になる。
また本発明により、所定の熱容量を有する冷媒等に一時的に蓄熱することとすれば、空調装置の消費電力は、室温調整の強弱とは直接無関係となり、常に安定となり、当該回生制動装置の動作も安定する。
同時に、冷媒等に蓄熱された熱量は所定の時間差をもって供用可能であるため、制動時以外でも室温調整が可能である。
【発明を実施するための形態】
【０００６】  以下、本発明の実施のさまを、図面を参照して説明する。
【図面の簡単な説明】
【０００７】
【図１】は、本発明による電動車両用電気装置・回生制動装置および空調装置の概念図である。なお、電動車両用電気装置・回生制動装置の部分は、平成２２年０８月０４日付け出願の整理番号０１０号（電動車両の制動装置）として公知である。
【図２】は、図１に示す（１３）冷媒タンク／ポンプの構造例である。
【符号の説明】
【０００８】（１）車輪
（２）油圧的な接続（ブレーキライン）
（３）ブレーキペダルの踏力信号（油圧検知）
（４）機械式制動装置
（５）制動力制御装置
（６）ユニット間通信線
（７）電流信号線
（８）電池
（９）主制御装置
（１０）充電電流センサ
（１１）機械的接続（回転力伝動）
（１２）電動機
（１３）冷媒タンク／ポンプ
（１４）空調装置（本体）
（１５）冷媒流路−１
（１６）冷媒流路−２
（１７）空調装置（室内機）
（１８）冷媒▲２▼吸出口
（１９）熱交換機
（２０）冷媒▲１▼流路（出路）
（２１）冷媒▲１▼流路（入路）
（２２）冷媒吐出口
（２３）冷媒▲２▼流路（入路）
（２４）冷媒▲２▼ポンプ
（２５）冷媒▲２▼流路（出路）
【実施例】
【０００９】  本発明による空調装置は図１に示す如く、電動車両の駆動制御装置の一部である。
（１４）空調装置（本体）は、（８）電池と並列に接続され、（５）制動力制御装置により動作を制御される。
（１４）空調装置（本体）はガス冷媒式エアコン（ヒートポンプ）の場合はコンプレッサを主体とする装置等、また電子式熱交換器の場合はペルチェ素子等である。
ハイブリッド自動車等の電動車両においては、運転者が（４）機械式制動装置を操作すると（２）油圧的な接続（ブレーキライン）を介して（１）車輪に制動力を与えるが、
同時に（９）主制御装置が（１）車輪と（１１）機械的接続（回転力伝動）を介して接続されている（１２）電動機の逆起電力を適正に昇圧し（８）電池の充電および（１４）空調装置（本体）の駆動を行う。これは回生制動と通称されている。
当該制動力と電流制御の関係は、平成２２年０８月０４日付け出願の整理番号０１０号（電動車両の制動装置）として公知であるので省略するが、本発明では当該電流制御および装置の一環として（１４）空調装置（本体）を採用する。
このとき（１４）空調装置（本体）の消費電力は常に安定であることが求められるので、（１７）空調装置（室内機）は直接（１４）空調装置（本体）に接続されない。
（１３）冷媒タンク／ポンプは断熱に優れた密閉容器で、（１５）冷媒流路−１を介して（１４）空調装置（本体）と接続され、（１６）冷媒流路−２を介して（１７）空調装置（室内機）と接続されるが、（１５）冷媒流路−１を流れる冷媒と（１６）冷媒流路−２を流れる冷媒は必ずしも同一ではない。
一例として図２に、（１３）冷媒タンク／ポンプの詳細を示す。
（１５）冷媒流路−１を流れる冷媒を冷媒▲１▼、（１６）冷媒流路−２を流れる冷媒を冷媒▲２▼とすると、冷媒▲１▼はより流入し（１９）熱交換機を通過しつつ冷媒▲２▼に熱を移動して（２０）冷媒▲１▼流路（出路）より（１４）空調装置（本体）へ復帰される。
このとき冷媒▲２▼は（２４）冷媒▲２▼ポンプの動作により（１８）冷媒▲２▼吸出口から（２５）冷媒▲２▼流路（出路）を介して（１７）空調装置（室内機）で熱交換による空調機能を果たし、（２３）冷媒▲２▼流路（入路）を介して（２２）冷媒吐出口より復帰する。
この構造により（１３）冷媒タンク／ポンプ内の冷媒▲２▼は熱的質量として機能し、制動に伴う巨大な回生エネルギーを熱として充分に吸収・蓄積し、徐々に空調に供することが可能になる。
なお、冷媒▲１▼と冷媒▲２▼が同一である場合は、（１３）冷媒タンク／ポンプを単純な断熱密閉容器に（２４）冷媒▲２▼ポンプのみを具備する構造とすることも可能である。
【図１】
2013017372.tif 000003
【図２】
2013017372.tif 000004
(57)【要約】【課題】回転体の主磁石と副磁石を同極としてお互いに、接続板で動きやすいょうに接続し回転体と副磁石は接したりして反発で回転する。回転で発電機、回転機を働かす。【解決手段】回転体に向かって副磁石は斜め下方にするとより強い反発で回転体を回転させる。【選択図】図５
2013017371.tif 000002
【特許請求の範囲】
【請求項１】
非磁性のフレ−ム（７）のほぼ中央に２ヶの同極の主磁石（２）を茶筒のように、主体（３）と合成し、中心に主軸（４）を貫通したものを、回転体（１）とし、ベアリング（５）で保持して配置し、左右のフレ−ム（７）に取り付けたぎったん軸（１７）に差し込んだ、長手のぎったん板（８）の上に回転体（１）を中心にして、左右のＴ板（９）に、主磁石（２）と、同極の副磁石（６）を取付けコロ（１６）を取り付けた小軸（１５）を、Ｔ板（９）の下側に取付け、左右のＴ板（９）を、つなぎ板（１４）をＤピン（１９）でつなぎ、主軸に付けた円板（１２）のＢピン（１１）と片方のＴ板（９）のＡピン（１０）とを、接続片（１３）で接続し、ぎったん板（８）の底に当るようＣピン（１８）を、フレ−ム（７）に取付け、主磁石（２）は図の如くＣ形の様に内側にまげ、本機の始動は、回転体（１）を１回転させ、主軸（４）の端にカップリング（２９）を取付け発電機（３０）又廻転機（３１）を取り付ける。
【発明の詳細な説明】
【技術分野】
【０００１】円筒、せぐめんと形の同極の磁石を任意数とりつけたものと、別に同じものを用意して、お互い接触させて反発により回転することにより、発電機、回転機に利用するものである。
【背景技術】
【０００２】従来の発電機は、水力、火力、原発で動かし、回転機は、発電機、エンジンで動かしていた。
【発明が解決しょうとする課題】
【０００３】磁石の同極同士は、近付くと反発し、異極同士はひっぱり合う。２組の同極の磁石を近付けると反発し、軸に取り付けると回転する発電機に利用するには、安定的に回転しなくてはならない。安定して回転することを課題とした。
【課題を解決するための手段】
【０００４】非滋性のフレ−ム（７）のほぼ中央に回転体（１）を配置し、回転体（１）は同極の主磁石（２）２ヶを茶筒の様に軽い材質の主体（３）と合成し、中心に主軸（４）を貫通してベアリング（５）で支持してフレ−ム（７）に取り付ける。回転体（１）の下側にぎったん軸（１７）をフレ−ム（７）に取付けぎったん板（８）の中央の軸穴に差し込む。ぎったん板（８）の長手の左右に、コロ（１６）を持った小軸（１５）をつけたＴ板（９）をおき、回転体（１）に向けて副磁石（６）を取付け、左右のＴ板（９）は、つなぎ板（１４）でＤピン（１９）でつなぐ。
Ｔ板（９）のＡピン（１０）と主軸（４）に取り付けた円板（１２）のＢピン（１１）を自在に接続した接続片（１３）はか回転体（１）の回転により、Ｔ板（９）は、中央に引き付けられたり離れたりする。その時、Ｔ板（９）の位置てぎつたん板（８）は傾きＣピン（１８）にあたって止まる。
【発明の効果】
【０００５】回転体（１）の主磁石（２）に向かって両側の２ヶの副磁石（６）は、ぎったん軸（１７）上で副磁石（６）が片よりすぎると、重みでぎったん板（８）は傾き上がったほうの副磁石（６）は回転体（１）に力強く向かいさらに今まで以上の反発で回転体（１）を回転するこれの繰返しで安定的となる。
【発明を実施するための最良の形態】
【０００６】非滋性のフレ−ム（７）のほぼ中央に、回転体（１）を配置し、回転体（１）は同極の主磁石（２）２ケを、茶筒のように、非滋性の主体（３）とで合成し中心に主軸（４）を、通しベアリング（５）で保持してフレ−ム（７）にとりつける。
回転体（１）は図の如く主磁石（２）２ケを両端は、Ｃ形のようにして内側に折曲げる。同極の副磁石（６）はＴ板（９）にとりつけ、左右のＴ板（９）はつなぎ板（１４）でＤピン（１９）でつなぐ。主軸（４）の端にとりつけた円板（１２）のＢピン（１１）とＴ板（９）のＡピン（１０）は、接続片（１３）でつなぎ回転体（１）の回転によりＴ板（９）は、回転によりＴ板（９）は回転体（１）を中心にして左右に動き、副磁石（６）も主磁石（２）に近付いたり放れたりする。その時Ｔ板（９）の片寄りで重みでぎったん板（８）は、ぎったん軸（１７）のところで傾き、Ｃピン８（１８）に当たってとまる。傾いて上側に上がった副磁石（６）はコロ（１６）をつけた小軸（１５）で回転体（１）に向かってすべりおち、より強い反発で接触する
【図面の簡単な説明】
【０００７】
【図１】発明の外形図
【図２】発明のたての断面図
【図３】発明の横の断面図
【図４】回転体（１）の断面図
【図５】回転体（１）とＴ板（９）の関係図
【符号の説明】
【０００８】  １  回転体    ２  主磁石  ３  主体  ４  主軸  ５  ベアリング
６  副磁石    ７  フレ−ム  ８  ぎったん板  ９  Ｔ板  １０  Ａピン
１１  Ｂピン  １２  円板  １３  接続片  １４  つなぎ板  １５  小軸
１６  コロ    １７  ぎったん軸  １８  Ｃピン  １９  Ｄピン
２９  カップリング  ３０  発電機  ３１  回転機
【図１】
2013017371.tif 000003
【図４】
2013017371.tif 000004
【図５】
2013017371.tif 000005
【図２】
2013017371.tif 000006
【図３】
2013017371.tif 000007
(57)【要約】【課題】外部の視線を遮りながら通気用の隙間をつくるカーテン用通気装置を提供する。【解決手段】線対称な１対の辺をもつ基板１の線対称軸上に蝶番で可動板２が取り付けられ、可動板２を回転させて基板１に重ねたとき基板１の該辺の１つと可動板２の辺が一致するように構成する。可動板２の該辺にカーテン吊具６を、基板１の該辺に取付具５を付ける。カーテンを曲げないときは取付具５で基板１をカーテンレール９から垂直に吊下げ、可動板２を立てカーテン吊具６と取付具５の高さを合わせる。カーテンは垂れない。カーテンを曲げるときは基板１を水平に保ちその上で可動板２をカーテン吊具６がカーテンレール９から離れる側へ倒す。カーテンが曲がり風通しの隙間ができかつ外部の視線を遮ることができる。【選択図】図１
2013017791.tif 000002
【特許請求の範囲】
【請求項１】
線対称な１対の辺をもつ基板の線対称軸上に回転軸をもつ蝶番で基板に可動板が取り付けられた構造であり、可動板を基板に重ねたとき該基板の辺と位置が一致する辺を可動板がもっており、その可動板の辺にはカーテン吊具があり、また基板の辺に取付具があることを特徴とするカーテン用通気装置。
【発明の詳細な説明】
【発明の詳細な説明】
【技術分野】
【０００１】カーテンを閉じたときに風通しを良くするための装置に関するものである。
【背景技術】
【０００２】従来、カーテンを完全に閉じると風通しが悪くなり、風通しの隙間を開けると外部から室内が見られたり陽射が入り込むなどの問題点があった。これはカーテン面と窓面が平行であるためである。
【発明が解決しようとする課題】
【０００３】本発明はカーテンの吊下げ位置をカーテンレールから外し、窓面に対してカーテン面を曲げることで、風通しの隙間を確保しつつ外部の視線を遮るようにするものである。以下では、カーテン面を曲げるとはカーテン布地の襞や皺ではなく吊下げ位置をカーテンレール外に移し窓面とカーテン面を非並行にすることを言う
【課題を解決するための手段】
【０００４】以下、図面を使って詳細に説明する。
図１は本発明のカーテン用通気装置の構成図であり、１は基板で１−Ｌと１−Ｒの部分に区別する。２は可動板、３は回転軸、４は軸受、５は取付具で５−Ｌと５−Ｒの２群に分かれ、６はカーテン吊具、７は水平垂直留具、８は付替え穴で８−Ｌと８−Ｒの２つがある。９は通し穴である。基板１は線対称な１対の辺を持ち、その線対称軸上に可動板２が軸受４と回転軸３を組み合わせた蝶番で取り付けられる。この１対の辺の交差角はカーテン面の曲がり角となり以下曲げ角と呼ぶ。図１に示すように、可動板２を上側にして、上記１対の辺の交点を遠方に見て回転軸３の左側を基板１−Ｌ、右側を基板１−Ｒと説明上区別する。基板１−Ｌの辺には取付具５−Ｌが、基板１−Ｒの辺には取付具５−Ｒが付いている。可動板２を回転させ基板１に重ねたとき、上記基板１の辺と一致する辺をもつように可動板２を作成する。その可動板２の辺にカーテン吊具６が付く。これにより、可動板２を基板１−Ｌ側に倒すとカーテン吊具６と取付具５−Ｌが近距離でほぼ平行に並び、逆に、基板１−Ｒ側に倒すとカーテン吊具６と取付具５−Ｒが近距離でほぼ平行に並ぶことになる。
水平垂直留具７は基板１との間に物を挟み込む機能を持っている。付替え穴８−Ｌと８−Ｒは回転軸３に関して対称な位置にあり水平垂直留具７を基板１に取り付ける穴である。水平垂直留具７を付替え穴８−Ｌに付けると通し穴９を突き抜け可動板２を基板１−Ｌ側に挟み込む。また、通し穴９から抜いて可動板２を基板１−Ｒ側に倒すこともできる。同様に、水平垂直留具７を付替え穴８−Ｒに付けると可動板２を基板１−Ｒに押付けることができる。
以下、図２、図３では室内から見て外側のカーテンの左端を室内側に曲げる場合について説明する。
図２は本カーテン用通気装置を２本組のカーテンレールに設置した場合である。１０は外カーテンレール、１１は外ランナー、１２は内カーテンレール、１３は内ランナー、１４はカーテン稜線である。外ランナー１１は外カーテンレール１０のランナー、内ランナー１３は内カーテンレール１２のランナーである。カーテン稜線１４はカーテンの上端を結ぶ線である。カーテン左端のフックを外し代わりに取付具５−Ｌで本カーテン用通気装置を外ランナー１１へ取り付ける。水平垂直留具７で可動板２を基板１−Ｌ側に押付け外ランナー１１から外したフックをカーテン吊具６へ付ける。このとき取付具５−Ｌとカーテン吊具６の高さはほぼ等しく、カーテン稜線１４はほぼ水平となりカーテンが垂れ下がることはない。また、本カーテン用通気装置はカーテンの裏側となり目障りにならない。本カーテン用通気装置に付けたままカーテンを開閉できる。内カーテンレール１２に付けたカーテンは自由に開閉できる。
図３のカーテン左端を曲げる場合には内ランナー１３は右側に寄っていると考えられる。通し穴９から水平垂直留具７を外し、可動板２を基板１−Ｒ側に倒す。基板１を水平に持ち上げ、水平垂直留具７で内レール１２を基板１との間に挟み本カーテン用通気装置を水平に固定する。カーテン左端はカーテン吊具６に吊られたまま室内側に折れ曲がる。この結果、通気用の間隙が得られ、かつ外部の視線を狭い範囲に制限できる。
以上はカーテン左端を室内側に曲げる場合であるが、水平垂直留具７を付替え穴８−Ｒに移し取付具５−Ｒを外ランナー１１に取り付けると、カーテンの右端を室内側に曲げることができる。
【発明の実施形態】
【０００５】以上の水平垂直留具７は水平垂直保持機能の実施例である。図２で、可動板２を垂直に保持することは基板１に鉄片を可動板２に磁石を埋め込んでおくことでも可能である。また、図３で、基板１を水平に保持することは天井や壁から垂らした糸に懸けることでも可能である。糸懸けの場合位置は制限されるが、閉めたカーテンの端の位置はほぼ一定であるので実効上差し障りは無い。この方法ではカーテンレールが１本の場合にも本カーテン用通気装置の適用が可能である。
なお、本カーテン用通気装置は既存の材料で、既存の技術を用いて製造できる。
【発明の効果】
【０００６】視線を遮りながら、通気を良くすることができる。
【図面の簡単な説明】
【図１】本発明のカーテン用通気装置の構成図。
【図２】本発明のカーテン用通気装置を２本組カーテンレールに取り付けた図
【図３】本発明のカーテン用通気装置でカーテン左端を室内側に折り曲げた図
【符号の説明】１は基板、２は可動板、３は回転軸、４は軸受、５は取付具、６はカーテン吊具、７は水平垂直留具、８は付替え穴、９は通し穴、１０は外カーテンレール、１１は外ランナー、１２は内カーテンレール、１３は内ランナー、１４はカーテン稜線、である。
【図１】
2013017791.tif 000003
【図２】
2013017791.tif 000004
【図３】
2013017791.tif 000005